(57)【要約】【課題】透過照明の点灯時と消灯時のいずれでも、立体感を高めて表示することができる計器用表示板を提供する。【解決手段】計器用表示板１０は、光源６からの光を透過することで、又は、外光を反射することで、意匠を表示する計器用表示板１０であって、透明な基板１０ａと、基板１０ａの表面の、光源６に対向する位置に設けられた意匠を表す凸部１０ｂと、凸部１０ｂ上に形成される透光性を有する着色層１０ｃと、平面視した場合に、凸部１０ｂの周囲を凸部１０ｂの外形に沿って囲む開口部１０ｄを有する、光源６からの光を遮光する遮光部１０ｅと、を備える。【選択図】図３
2015222239.tif 000002
【特許請求の範囲】
【請求項１】
光源からの光を透過することで、又は、外光を反射することで、意匠を表示する計器用表示板であって、
透明な基板と、
前記基板の表面の、前記光源に対向する位置に設けられた前記意匠を表す凸部と、
前記凸部上に形成される透光性を有する着色層と、
平面視した場合に、前記凸部の周囲を前記凸部の外形に沿って囲む開口部を有する、前記光源からの光を遮光する遮光部と、を備える、
ことを特徴とする計器用表示板。
【請求項２】
前記着色層は、前記凸部の外形より小さな外形で形成される、
ことを特徴とする請求項１に記載の計器用表示板。
【請求項３】
前記凸部は、前記基板上に設けられる透光性の樹脂層に形成される、
ことを特徴とする請求項１または２に記載の計器用表示板。
【請求項４】
前記遮光部の前記開口部に、前記光源からの透過照明の色を変える透過性着色層を設けてなる、
ことを特徴とする請求項１乃至３のいずれかに記載の計器用表示板。
【発明の詳細な説明】
【技術分野】
【０００１】
本発明は、計器用表示板に関する。
【背景技術】
【０００２】
従来の計器用表示板として、例えば、下記特許文献１に開示されたものがある。
特許文献１に開示された計器用表示板は、透光性の基板の背面に半透過層と、半透過層の背面に透光性の表示層を設け、基板の表面には、半透過層および表示層に対向させて文字などの凸部を設けて構成されている。光源の点灯時には、表示層および半透過層を透過した光で凸部を透過照明する。消灯時には、半透過層で反射する外来光で凸部を視認させる。これにより、点灯時と消灯時とで表示板の見え方を変えるようにしている。
【先行技術文献】
【特許文献】
【０００３】
【特許文献１】特開２００９−６８８６０号公報
【発明の概要】
【発明が解決しようとする課題】
【０００４】
特許文献１に記載の計器用表示板では、基板の表面側の凸部の周囲は、遮光性の背景層で覆われているため、背景層と凸部との視差分によって凸部を視認させるものであり、立体感の演出については、改善の余地がある。
【０００５】
本発明は上記実情に鑑みてなされたものであり、透過照明の点灯時と消灯時のいずれでも、立体感を高めて表示することができる計器用表示板を提供することを目的とする。
【課題を解決するための手段】
【０００６】
上記目的を達成するために、本発明に係る計器用表示板は、
光源からの光を透過することで、又は、外光を反射することで、意匠を表示する計器用表示板であって、
透明な基板と、
前記基板の表面の、前記光源に対向する位置に設けられた前記意匠を表す凸部と、
前記凸部上に形成される透光性を有する着色層と、
平面視した場合に、前記凸部の周囲を前記凸部の外形に沿って囲む開口部を有する、前記光源からの光を遮光する遮光部と、を備える、
ことを特徴とする。
【発明の効果】
【０００７】
本発明によれば、透過照明の点灯時と消灯時のいずれでも、立体感を高めて表示することができる。
【図面の簡単な説明】
【０００８】
【図１】本発明の計器用表示板の一実施形態に係る計器とともに示す正面図である。
【図２】本発明の計器用表示板の一実施形態に係り、（ａ）は図１中のＡ−Ａ断面図、（ｂ）は（ａ）中のＢ部拡大正面図である。
【図３】本発明の計器用表示板の一実施形態に係る点灯状態の部分拡大断面図および部分拡大斜視図である。
【図４】本発明の計器用表示板の一実施形態に係る消灯状態の部分拡大断面図および部分拡大斜視図である。
【図５】本発明の計器用表示板の他の一実施形態に係る部分拡大断面図である。
【図６】本発明の計器用表示板のさらに他の一実施形態に係る部分拡大断面図である。
【発明を実施するための形態】
【０００９】
本発明の一実施形態に係る計器用表示板を、図面を参照して詳細に説明する。なお、以下の説明では、計器用表示板１０を正面視したときの（つまり、ユーザーが計器用表示板１０を正面から見て計測値（意匠部）を確認する場合の）視認側を「表」といい、背面側を「裏」という。
【００１０】
本実施形態の計器用表示板１０は、例えば自動車や二輪車等の車両用の計器１に組み込まれるものである。そこで、まず、車両用の計器１の概略構成を説明した後、計器用表示板１０について詳細に説明する。
車両用の計器１は、例えば車両の速度を指針の回転によって表すことによりユーザー（運転者）に車両速度を報知する指針式の速度計（スピードメータ）で構成される。
【００１１】
まず、計器１の構成について説明する。
計器１は、図１および図２に示すように、指針２と、ケース３と、回路基板４と、回路基板４に実装された指針用光源５と、文字板用光源（光源）６と、駆動部７と、外ケース８と計器用表示板（以下、単に、文字板とする）１０と、を備えている。
【００１２】
指針２は、その回転軸２ａを中心として回転する回転中心部２０と、回転中心部２０と一体に形成された指示部２ｂと、カバー部２ｃと、指針キャップ２ｄと、を備える。
回転中心部２０及び指示部２ｂは、例えば、ＰＭＭＡ（Polymethyl Methacrylate）等の樹脂から透明に形成されている。カバー部２ｃおよび指針キャップ２ｄは、光不透過部とされ、例えば、所定の樹脂から黒色に形成されている。
回転中心部２０は、駆動部７の回転軸７ａと連結される回転軸２ａを有している。これにより、回転中心部２０は、回転軸２ａを中心として回転する。指示部２ｂは、回転中心部２０の外周方向に沿って延びるように設けられ、後述する文字板１０の指標となる意匠が形成された凸部１０ｂを指示する部分である。
回転中心部２０の指示部２ｂが延びる方向と反対側には、受光面２ｅと、傾斜面２ｆと、が形成されている。受光面２ｅは、回転中心部２０の裏側を向く面であり、指針用光源５からの光を受光する。傾斜面２ｆは、受光面２ｅの表側に位置し、受光面２ｅから入射した指針用光源５からの光を、指示部２ｂの先端方向に向けて反射させる。指示部２ｂの裏面には、例えば白色の箔がホットスタンプされて遮光されている。
【００１３】
受光面２ｅから入射した光は、傾斜面２ｆで反射されて指示部２ｂの先端側に導光され、指示部２ｂが発光する。また、指示部２ｂの先端側に導光される光のうち裏面に当たった光や、指示部２ｂの表側から入射した外来光（外光）、例えば太陽光は、指示部２ｂの裏面で反射して表側に出射される。
【００１４】
光不透過部のカバー部２ｃは、指示部２ｂの側部を囲むようにして設けられる。カバー部２ｃと指示部２ｂは、例えば、一体に形成されている。指針キャップ２ｄは、回転中心部２０の表側を覆っている。指針キャップ２ｄにより回転中心部２０から表側への光を遮蔽する。
【００１５】
指針用光源５は、指針２を発光させるためのものである。文字板用光源６は、文字板１０を照明するためのものである。指針用光源５および文字板用光源６は、例えばＬＥＤ（Light Emitting Diode）から構成されている。指針用光源５および文字板用光源６は、回路基板４の表側に実装されている。
指針用光源５は、指針２の回転軸２ａの軸線を中心とする内側（小径）の円周上に等間隔に並んで指針２の回動範囲に対応して複数配置されている。
文字板用光源６は、指針２の回転軸２ａの軸線を中心とし、指針用光源５より外側（大径）の円周上に等間隔に並んで全周に複数配置されている。指針用光源５と文字板用光源６は、後述するように、ケース３の筒状部３ａでそれぞれが遮光されて指針２を発光し、文字板１０を照明する。
【００１６】
駆動部７は、例えば、ステッピングモータから構成され、後述の制御部の制御のもとで、回転軸７ａを回転させる。駆動部７は、回路基板４の裏側に実装されている。回転軸７ａは、回路基板４の基材に設けられた孔を貫通し、回路基板４の表側に配置されている。回転軸７ａには、指針２の中空の回転軸２ａ（指針２の回転中心部２０に設けられる）が連結される。これにより、駆動部７の回転軸７ａの回転に伴って、指針２が回転する。駆動部７は、制御部の制御のもとで、指針２を車両の速度に応じた位置まで回転させる。
【００１７】
回路基板４は、例えば、ガラスエポキシ樹脂（Glass Fiber Reinforced Plastics）からなる絶縁性を有する板状の基材に各種配線がプリントされてなる。回路基板４には、計器１の動作を制御する制御部（図示せず）が実装されている。この制御部は、計器１の外部装置（例えば、車両のＥＣＵ（Electronic Control Unit））から車両の速度等の車両情報を取得し、取得した情報に基づいて、指針用光源５および文字板用光源６を点灯／消灯させたり、駆動部７を動作させる。
【００１８】
ケース３は、回路基板４や文字板１０などの計器１を構成する部品を保持する。ケース３は、回路基板４の表面側に固定されており、例えば、遮光性のある白色のポリプロピレン (Polypropylene) 樹脂から構成されている。ケース３は、中央部の筒状部３ａと、筒状部３ａの外周側の円板部３ｂと、円板部３ｂの外周側の外筒部３ｃと、を備えている。
ケース３の中央部の筒状部３ａは、円周上の指針用光源５と文字板用光源６との間に設けられ、回路基板４の法線方向に沿って延びる筒状に形成されている。筒状部３ａの内周部分に、指針２の回転軸２ａが位置する。筒状部３ａは、指針用光源５の光を指針２の回転軸２ａの径方向に拡がらないように遮蔽しながら、指針２を発光させる。外筒部３ｃは計器１の文字板１０の外周を囲むように設けられ、文字板用光源６からの光を文字板１０に導く照明空間を形成する。
文字板用光源（光源）６は、照明空間を介して文字板１０を裏側から照明する。外筒部３ｃによる照明空間は、文字板用光源（光源）６の消灯時には、遮光されて暗所状態となる。
【００１９】
文字板１０は、指針２の裏側に位置し、透過材料の透明な基板１０ａ上に、指針２による指標となる数字、記号、目盛などの意匠を表す凸部１０ｂを、例えば、印刷などで形成したものである。文字板１０は、文字板用光源（光源）６が点灯され、裏側から透過する光による照明状態と、文字板用光源６を消灯し、照明がなされない外来光（外光）による反射状態のいずれでも意匠を表す凸部１０ｂを立体的に表示することができるようにしたものである。
文字板１０は、透過材料の透明な基板１０ａと、基板１０ａに形成される数字、記号、目盛などの透光性を有する意匠を表す凸部１０ｂと、凸部１０ｂ上に形成される透光性を有する着色層１０ｃと、基板１０ａの裏面側に形成され、凸部１０ｂの対向位置で意匠を表す凸部１０ｂの外形より大きい開口部１０ｄを有する遮光層（遮光部）１０ｅとを備えて構成される。
【００２０】
透明な基板１０ａは、例えばアクリル(Acrylic Resin)、ポリカーボネート（Polycarbonate）樹脂からなる透明もしくは透光性の着色された材料で構成される。基板１０ａは、計器１の外形に対応して、例えば，図１に示すように、円板状に形成される。
【００２１】
意匠を表す凸部１０ｂは、透光性を有した計器１の計測量を示す指標となる数字、記号、目盛などであり、基板１０ａから表側に突き出す凸状に設けられる。各凸部１０ｂは、例えば図２（ｂ）に示すように、数字、記号、目盛などの外形に合わせた形状とされる。
凸部１０ｂは、例えば紫外線硬化樹脂層１０ｆで構成され、例えば型成形される。型成形では、凸部１０ｂの意匠の形状の凹部が形成された金型を用い、金型の凹部に紫外線硬化樹脂を充填し、基板１０ａとなるポリカーボネートの樹脂シートを載せ、紫外線を照射して硬化させる。
これにより、基板１０ａと一体に数字などの外形を備えた意匠を表す凸部１０ｂを形成することができる。また、型成形により凸部１０ｂを成形することで、エッジ（角部）がだれること（円弧状となること）なく明確な角部が成形できる。
また、文字板１０の基板１０ａの凸部１０ｂ以外の部分は、凸部１０ｂと一体の紫外線硬化樹脂層１０ｆとすることもできる。凸部１０ｂ以外の紫外線硬化樹脂層１０ｆは、加飾性に優れた加飾範囲として用いることができる。
加飾のため、紫外線硬化樹脂層１０ｆには、例えば、任意の微細な凹凸模様を設けることができる。微細な凹凸模様としては、例えば指針２の回転軸２ａと同心円状の微細な凹凸模様や回転軸２ａを中心とする放射方向の微細な凹凸模様、あるいはこれらの微細な凹凸模様の組み合わせ模様などが設けられる。
また、意匠を表す凸部１０ｂは、樹脂材料による型成形に限らず、インク材による印刷成形、もしくは樹脂材料をエンボス加工したシート材の貼り付けなどによって基板１０ａに形成することもできる。さらに、基板１０ａに直接意匠となる凸部１０ｂを形成するようにしても良い。
【００２２】
着色層１０ｃは、意匠を表す凸部１０ｂ上に透光性を有して形成されて構成される。着色層１０ｃは、印刷やホットスタンプによって形成される。着色層１０ｃは、図３に示すように、例えば、意匠を表す凸部１０ｂ上の全面に形成される。着色層１０ｃは、任意の色調が選択される。着色層１０ｃの色調は、例えば明度の高い白やシルバーとされたり、明度の低い黒やガンメタとされる。
【００２３】
文字板１０の基板１０ａの裏面には、遮光部として遮光層１０ｅが設けられる。遮光層１０ｅには、基板１０ａの表側の意匠を表す凸部１０ｂと対向する部分に開口部１０ｄが形成される。開口部１０ｄは、意匠を表す凸部１０ｂより大きく形成され、凸部１０ｂを構成する数字などの外形に沿って縁取るような大きさとされる。
これにより、遮光層１０ｅに形成した開口部１０ｄによって意匠を表す凸部１０ｂの周囲に透光性を備えた輪郭部分が形成されることになる。
遮光層１０ｅは、遮光性を有し、任意の色調で形成される。遮光層１０ｅは、着色層１０ｃの色調とコントラストを持たせた配色とすることが好ましい。
遮光層１０ｅを、例えば明度の低い黒色やガンメタとする場合には、着色層１０ｃの色調を明度の高い白やシルバーとする。この場合には、文字板１０の開口部１０ｄの外周囲が黒色やガンメタの暗所範囲となる（黒色文字板）。
一方、遮光層１０ｅの色調を、例えば明度の高い白やシルバーとする場合には、着色層１０ｃの色調を明度の低い黒色やガンメタとする。この場合には、文字板１０の開口部１０ｄの外周囲が白色やシルバーとなる（白色文字板）。
遮光層１０ｅは、例えば樹脂材料による型成形もしくは、インク材による印刷成形、もしくは、樹脂材料によるシート材の貼り付けのいずれかなどによって形成することができる。
【００２４】
このように構成した計器用表示板１０では、例えば、回路基板４に設けた制御部は、指針用光源５および文字板用光源（光源）６の点灯／消灯を制御する。制御部による制御は、例えば、指針用光源５および文字板用光源６の点灯／消灯をイグニッションスイッチのＯＮ／ＯＦＦに連動させる。イグニッションスイッチのＯＮ／ＯＦＦに連動させた場合には、エンジンの運転中は指針用光源５および文字板用光源６が常時点灯する。この場合には、エンジンの停止状態で指針用光源５および文字板用光源６が消灯状態となる。
【００２５】
次に、本実施形態において、文字板用光源６の点灯状態と消灯状態の文字板１０の表示状態について説明する。
文字板１０で文字板用光源６が点灯される点灯時には、図３（ａ），（ｂ）に示すように、中心発光範囲１１と、輪郭発光範囲１２と、遮光範囲１３との３つの明るさの異なる状態で、しかも基板１０ａの表裏面と、意匠を表す凸部１０ｂの表面との高低差を持って発光表示される。
【００２６】
中心発光範囲１１は、文字板用光源６からの光が遮光層１０ｅの開口部１０ｄから透光性の基板１０ａ、透光性の意匠を表す凸部１０ｂおよび着色層１０ｃを透過して発光される部分である。中心発光範囲１１では、文字板用光源６からの光が着色層１０ｃを透過することで、着色層１０ｃの色調となり、着色層１０ｃによってやや暗い状態で発光される。また、中心発光範囲１１は、基板１０ａの表面から意匠を表す凸部１０ｂの高さ分だけ高い位置で発光される。
輪郭発光範囲１２は、凸部１０ｂと、わずかに大きい開口部１０ｄとの大きさの差によって基板１０ａおよび紫外線硬化樹脂層１０ｆを鉛直に透過する光と、紫外線硬化樹脂層１０ｆと凸部１０ｂの厚みの側面部分から斜めに出射される光とで、発光する範囲である。輪郭発光範囲１２は、いずれも透明部分を透過することで最も明るく発光し、意匠を表す凸部１０ｂの輪郭部分を発光させる。
遮光範囲１３は、基板１０ａの裏側の遮光層（遮光部）１０ｅで遮光された部分であり、文字板用光源６からの光が透過しないことから暗所状態となる範囲である。
このような中心発光範囲１１と、輪郭発光範囲１２と、遮光範囲１３とによって、文字板１０が発光照明される。
すなわち、最も明るい輪郭発光範囲１２を境にして、中心側の意匠を表す凸部１０ｂが表面で着色層１０ｃによって着色されてわずかに暗い状態の中心発光範囲１１となり、輪郭発光範囲１２の外側の周囲が基板１０ａの裏側で暗所状態となる遮光範囲１３となって文字板１０が照明される。
これにより、基板１０ａの表裏面の厚さに意匠を表す凸部１０ｂの高さが加わった高低差を、透過照明の明暗によって、容易に視認することができ、立体感を実感することができる。
したがって、これまでの基板表面と凸状との高低差を視認する（例えば特許文献１参照）場合に比べ、本文字板１０では、立体感を一層高めることができる。
【００２７】
一方、文字板１０で文字板用光源６が点灯されない消灯時には、図４（ａ），（ｂ）に示すように、文字板用光源６からの光はなく、外来光（外光）の反射によって表示される。外来光の反射により、着色反射範囲１４と、暗所範囲１５と、反射遮光範囲１６との３つの明るさの異なる反射状態で、しかも基板１０ａの表裏面と、意匠を表す凸部１０ｂの表面との高低差を持って反射表示される。
着色反射範囲１４は、外来光が意匠を表す凸部１０ｂの表側の着色層１０ｃの表面で反射されて着色層１０ｃの色調で反射する範囲である。
暗所範囲１５は、着色反射範囲１４の周囲の開口部１０ｄを透して基板１０ａの裏面（厚さ）よりも、裏側に位置するケース３の内側の遮光された範囲であり、意匠を表す凸部１０ｂの影のようになる。
反射遮光範囲１６は、暗所範囲１５の外側の外来光が基板１０ａの裏面の遮光層１０ｅの色調で反射される範囲である。
これら着色反射範囲１４と、着色反射範囲１４の周囲の意匠を表す凸部１０ｂの影のような暗所範囲１５と、暗所範囲１５の外側の遮光層１０ｅの色調で反射される反射遮光範囲１６との３つの明るさと反射面の位置が異なる状態で反射表示される。
したがって、文字板用光源６の消灯時であっても、ケース３の内側の暗所範囲１５を境として、基板１０ａの表面から突き出ている意匠を表す凸部１０ｂの表面の着色反射範囲１４と、基板１０ａの裏面の遮光層１０ｅによる反射遮光範囲１６とが、外来光の反射によって視認される。
これにより、基板１０ａの表裏面の厚さに意匠を表す凸部１０ｂの高さが加わった高低差を、外来光の反射と、暗所範囲１５の明暗によって、容易に視認することができ、立体感を実感することができる。すなわち、これまでの基板表面と凸状との高低差を、外来光の反射で視認する（例えば特許文献１参照）場合に比べ、本文字板１０では、立体感を一層高めることができる。
【００２８】
また、文字板１０によれば、意匠を表す凸部１０ｂを樹脂材料による型成形、もしくはインク材による印刷成形、もしくは樹脂材料によるエンボス加工したシート材の貼り付けなどで形成することで、凸部１０ｂ以外の範囲を基板１０ａと一体の形態に成形することができる。これにより、意匠を表す凸部１０ｂを個別の専用部品とする必要がなく、構造を簡素化し、部品点数を削減することができる。
【００２９】
また、文字板１０によれば、意匠を表す凸部１０ｂ以外の範囲に、予め任意の微細な凹凸模様などを設けることができ、基板１０ａの表面を装飾することができ、加飾性を高めることができる。
【００３０】
さらに、文字板１０によれば、着色層１０ｃと遮光層１０ｅとの色調にコントラストを持たせた配色とし、例えば着色層１０ｃと遮光層１０ｅとのいずれかを明度の高い白やシルバーとし、他方を明度の低い黒やガンメタの配色とすることによって、特に消灯時の視認性を向上することができる。すなわち、文字板用光源６の消灯時において、開口部１０ｄの暗所範囲１５を境にして、基板１０ａの表面側の意匠を表す凸部１０ｂの着色層１０ｃと、基板１０ａの裏側の遮光層１０ｅとがそれぞれ外来光の反射で視認する際、より明確に視認することができる。
【００３１】
また、文字板１０によれば、着色層１０ｃと遮光層１０ｅとの一方を、細かい凹凸により乱反射させるなどのミラー調の表面に形成することで、外来光の反射効率を高めることができる。これにより、文字板用光源６の消灯時において、開口部１０ｄの暗所範囲１５を境にして、基板１０ａの表面側の意匠を表す凸部１０ｂの着色層１０ｃと、基板１０ａの裏側の遮光層１０ｅとがそれぞれ外来光の反射で視認される際、ミラー調の反射面で外来光をより多く反射させることができ、明確に視認することができる。
【００３２】
以上、実施の形態とともに、具体的に説明したように、文字板１０によれば、文字板用光源６の点灯時には、基板１０ａの表裏面の厚さに意匠を表す凸部１０ｂの高さが加わった高低差を、透過照明の明暗によって、容易に視認することができ、立体感を実感することができる。
一方、文字板用光源６の消灯時には、基板１０ａの表裏面の厚さに意匠を表す凸部１０ｂの高さが加わった高低差を、外来光の反射と、暗所範囲１５の明暗によって、容易に視認することができ、立体感を実感することができる。
したがって、文字板１０によれば、文字板用光源６の点灯時と消灯時のいずれであっても、基板１０ａの表裏面の厚さに意匠を表す凸部１０ｂの高さが加わった高低差を、容易に視認することができ、これまでの基板表面と凸状との高低差を視認する場合（例えば特許文献１参照）に比べ、立体感を一層高めることができる。
【００３３】
次に、本発明の計器用表示板の他の一実施の形態について、図５により説明する。なお、既に説明した実施の形態と同一部分には、同一符号を記し、重複する説明は省略する。
文字板１０Ａは、意匠を表す凸部１０ｂの表面に設ける着色層１０ｃＡが異なるものである。
着色層１０ｃＡは、意匠を表す凸部１０ｂの外形より小さな外形で形成してある。これにより、凸部１０ｂと着色層１０ｃＡとの寸法差の分だけ、開口部１０ｄの範囲が大きく広がった状態となる。なお、他の構成は既に説明した実施の形態と同一である。
文字板１０Ａによれば、文字板用光源６の点灯時には、範囲が大きくなった輪郭発光範囲１２Ａが一層明るく発光することになり、輪郭発光範囲１２Ａを境にして、中心側の意匠を表す凸部１０ｂが着色されてわずかに暗い状態の中心発光範囲１１と、輪郭発光範囲１２Ａの外側の周囲が基板１０ａの裏側の暗所状態の遮光範囲１３とが形成される。これにより、基板１０ａの表裏面の厚さに意匠を表す凸部１０ｂの高さが加わった高低差を、一層明るい透過照明の明暗によって、容易に視認することができ、立体感を一層実感することができる。すなわち、これまでの基板表面と凸状との高低差を視認する場合（例えば特許文献１参照）に比べ、立体感をより一層高めることができる。
【００３４】
次に、本発明の計器用表示板のさらに他の一実施の形態について、図６により説明する。なお、既に説明した実施の形態と同一部分には、同一符号を記し、重複する説明は、省略する。
文字板１０Ｂは、基板１０ａの裏面の遮光層１０ｅの開口部１０ｄに透過性着色層１０ｇを設けたものである。透過性着色層１０ｇは、任意の色調に設定され、文字板用光源６は、白色とされる。なお、他の構成は既に説明した実施の形態と同一である。
透過性着色層１０ｇは、例えば青色とされ、意匠を表す凸部１０ｂの表面の着色層１０ｃは、透過性着色層１０ｇに合わせて青色系とする。
文字板１０Ｂによれば、文字板用光源６からの光は、青色の透過性着色層１０ｇを透過することで、予め定めた青色の色調に変換されて輪郭発光範囲１２を照明する。また、意匠を表す凸部１０ｂの表面の着色層１０ｃは、青色系のやや暗い光で照明される。
この文字板１０Ｂによっても、上記各実施の形態と同様に、基板１０ａの表裏面の厚さに意匠を表す凸部１０ｂの高さが加わった高低差を、明るい透過照明の明暗によって、容易に視認することができ、立体感を一層実感することができる。
このような文字板１０Ｂでは、透過性着色層１０ｇの色調を変えることで、文字板１０の意匠を表す凸部１０ｂを異なる色調で照明することができ、例えば速度計やエンジン回転計において、注意を喚起すべき速度やエンジン回転数の意匠を表す凸部１０ｂを黄色や赤色で照明することが可能となる。
【００３５】
なお、本発明は、上記の各実施形態に限定されることなく、種々の態様で実施することができる。
また、上記の実施形態では、計器１を車両用の速度計として説明したが、これに限られない。計器１を、例えば、回転計や複数の計測量を表示するコンビネーションメータなど計器として構成してもよい。
【符号の説明】
【００３６】
１        計器
２        指針
２０      回転中心部
２ａ      回転軸
２ｂ      指示部
２ｃ      カバー部
２ｄ      指針キャップ
２ｅ      受光面
２ｆ      傾斜面
３        ケース
３ａ      筒状部
３ｂ      円板部
３ｃ      外筒部
４        回路基板
５        指針用光源
６        文字板用光源
７        駆動部
７ａ      回転軸
８        外ケース
１０      文字板（計器用表示板）
１０Ａ    文字板（計器用表示板）
１０Ｂ    文字板（計器用表示板）
１０ａ    基板
１０ｂ    凸部
１０ｃ    着色層
１０ｃＡ  着色層
１０ｄ    開口部
１０ｅ    遮光層（遮光部）
１０ｆ    紫外線硬化樹脂層
１０ｇ    透過性着色層
１１      中心発光範囲
１２      輪郭発光範囲
１２Ａ    輪郭発光範囲
１３      遮光範囲
１４      着色反射範囲
１５      暗所範囲
１６      反射遮光範囲
【図１】
2015222239.tif 000003
【図２】
2015222239.tif 000004
【図３】
2015222239.tif 000005
【図４】
2015222239.tif 000006
【図５】
2015222239.tif 000007
【図６】
2015222239.tif 000008